(57)【要約】【課題】小便器における排水トラップの水貯溜部より下流側の排水路、更にそれよりも下流側の排水フランジや排水配管の先端部を効果的に洗浄し得て、同部分への尿石の付着・堆積を防止ないし抑制することのできる小便器洗浄装置を提供する。【解決手段】小便器１０からの排水を流す排水配管１８の先端より上流側の部分であって、小便器１０の排水トラップ１４の水貯溜部１５より下流側で奥側の排水路３６に洗浄水の噴射ノズル４０を設けてこれに供給管４２を接続し、排水路３６に対して小便器１０の鉢面１２及び排水トラップ１４の水貯溜部１５を経由しないで噴射ノズル４０から直接に洗浄水を供給し、排水路３６を洗浄するようにする。【選択図】        図１
2005180064.tif 000002
【特許請求の範囲】
【請求項１】
小便器からの排水を流す排水配管の該小便器側の先端より上流側の部分であって該小便器の排水トラップの水貯溜部より下流側で奥側の排水路に洗浄水の供給口を設けて該供給口に該洗浄水の供給管を接続し、該排水路に対して該小便器の鉢面及び排水トラップの水貯溜部を経由しないで該供給口から直接に該洗浄水を供給し、該排水路を洗浄するようになしたことを特徴とする小便器洗浄装置。
【請求項２】
請求項１において、前記洗浄水が殺菌剤を含有していることを特徴とする小便器洗浄装置。
【請求項３】
請求項２において、前記殺菌剤としてオゾンを含有していることを特徴とする小便器洗浄装置。
【請求項４】
請求項１〜３の何れかにおいて、前記供給口が前記洗浄水を噴射する噴射ノズルとして構成してあることを特徴とする小便器洗浄装置。
【請求項５】
請求項１〜４の何れかにおいて、前記供給管が、前記鉢面に鉢面洗浄用の洗浄水を供給して該鉢面を洗浄する鉢面洗浄装置から分岐して延び出し、該鉢面及び前記排水トラップの水貯溜部をバイパスして前記供給口に繋がるバイパス管を成していることを特徴とする小便器洗浄装置。
【請求項６】
請求項２において、前記供給管上には給水バルブと、該供給管内の水流により前記殺菌剤の供給源から該殺菌剤を吸引して前記洗浄水中に含有させる吸引機とを設けたことを特徴とする小便器洗浄装置。
【発明の詳細な説明】
【技術分野】
【０００１】
この発明は小便器洗浄装置に関し、特に排水トラップより下流側で奥側の排水路を洗浄するための小便器洗浄装置に関する。
【背景技術】
【０００２】
通常、小便器には鉢面に洗浄水を供給して鉢面を洗浄する鉢面洗浄装置が備えてあり、使用の都度自動的に若しくは使用者による押ボタン等の操作により鉢面に洗浄水を供給して鉢面を洗浄するようになっている。
ここで鉢面を洗浄した洗浄水は小便器の排水トラップの水貯溜部（以下単に排水トラップとする）及びこれより下流側で奥側の排水路を流れた後、排水配管へと流れ込んで外部に排出される。
【０００３】
このように小便器を使用する都度、鉢面洗浄が行われて鉢面洗浄水が鉢面，排水トラップ，排水路を流れて行くものの、従来は排水トラップや排水路，排水配管の先端部即ち小便器との接続側の先端部等に尿石が付着・堆積し易い問題が生じていた。
【０００４】
このうち排水トラップに付着した尿石については通常の清掃によりある程度除去することができるものの、排水トラップより下流側で奥側の排水路や排水配管の先端部等に付着・堆積した尿石については、同部分が通常的な清掃の対象とならない部分であることからその付着した尿石が次第に成長して堆積量が増大し、終には排水路や排水配管を閉塞してしまう恐れを生ずる。
【０００５】
図２及び図３は尿石の付着促進試験を行ったとき（小便器の鉢面洗浄を塩素を含有しない洗浄水を用いて行ったとき）の尿石の付着・堆積状況を示したものである。
同図において２００は小便器、２０２は鉢面、２０５は排水トラップ２０４の水貯溜部、２０６は小便器２００からの排水を流し、外部に排出する排水配管で、２０８はその排水配管２０６におけるエルボ部、２１０はそのエルボ部２０８における水平部である。
２１２は排水トラップ２０４（厳密には排水トラップ２０４の水貯溜部２０５）より下流側で奥側の排水路で、２１４はその排水路２１２の末端の排出口即ち小便器２００と排水配管２０６との接続用の排水フランジである。
【０００６】
Ｐは尿石を表しており、図示のように小便器２００の使用を続けると、この尿石Ｐが排水路２１２，排水フランジ２１４、更に排水配管２０６の水平部２１０にかけて付着し、これが次第に成長して行く。そしてこれを放置したまま小便器２００を使い続けると尿石Ｐが大きな塊となって、終には排水路２１２や排水フランジ２１４或いは排水配管２０６を閉塞するに到ってしまう。
尚、図３（Ｂ）は尿石Ｐが付着・堆積する前の状態を表している。
【０００７】
この尿石Ｐの発生及び成長は、次のようにして生ずると考えられている。
即ち尿中の尿素が細菌の作用でアンモニアに分解され、その結果排水がアルカリ性となって、尿中に含有されているカルシウム成分の溶解度が低下し、排水経路上で析出・堆積するものと考えられている。
【０００８】
この尿石Ｐの上記付着・堆積箇所は前述のように通常清掃のできない箇所であり、そこでこの尿石Ｐを取り除くためには一旦小便器２００を取り外した上で、尿石Ｐを薬剤で溶解させたり或いは高圧洗浄で溶かしたりして除去処理することが必要となる。
しかしながらこの除去処理は大掛りな処理作業となり、簡単には行うことのできないものである。
【０００９】
このようなことから、従来より尿石の付着・堆積を防ぐための各種の手段が研究され提案されている。
例えば下記特許文献１には、小便器と排水配管との接続部に殺菌水を直接供給し、排水配管内を殺菌水で洗浄する点が記されている。
【００１０】
また下記特許文献２には、排水配管内の排水のｐＨをセンサで測定し、排水がアルカリ性となったときに自動的に給水バルブを開いて排水配管内に洗浄水を供給しこれを洗浄する点が開示されている。
【００１１】
しかしながらこれらの場合には図２に示す排水路２１２を洗浄することができず、同部分に付着・堆積した尿石を除去することができない問題がある。
また排水配管２０６に対して直接殺菌水を供給して洗浄するようになす場合専用の配管を施工しなければならず、また小便器２００の設置施工が配管絡みの施工となって施工が複雑化してしまう問題を生ずる。
【００１２】
他方下記特許文献３には、鉢面の洗浄水中に殺菌剤を予め含有させておき、鉢面洗浄を行ったときにその殺菌剤で小便器への尿石の付着を抑制する点が開示されている。
更にまた下記特許文献４には、殺菌剤を含む洗浄水を小便器の排水トラップに供給して同部分を洗浄する点が開示されている。
【００１３】
しかしながらこれら特許文献３，特許文献４のように、鉢面を洗浄する洗浄水や排水トラップの洗浄水に殺菌剤を含有させておいて、尿石の付着・堆積を防止するようになした場合、それら殺菌剤を含む洗浄水が図２に示す排水路２１２や排水フランジ２１４等に到る前に、上流側の殺菌によって殺菌能力が低下してしまい、排水路２１２や排水フランジ２１４等を効果的に殺菌できず、従って同部分における尿石の付着・堆積を必ずしも十分に防止できないといった問題が残る。
【００１４】
【特許文献１】特開平９−２２１８０７号公報
【特許文献２】特開２００１−１３２０７３号公報
【特許文献３】特開平１０−３３８９５８号公報
【特許文献４】特許第３１９１７９８号公報
【発明の開示】
【発明が解決しようとする課題】
【００１５】
本発明は以上のような事情を背景とし、小便器における排水トラップより下流側の排水路、更にそれよりも下流側の排水フランジや排水配管の先端部を効果的に洗浄し得て、尿石の付着・堆積を防止ないし抑制することのできる小便器洗浄装置を提供することを目的としてなされたものである。
【課題を解決するための手段】
【００１６】
而して請求項１のものは、小便器からの排水を流す排水配管の該小便器側の先端より上流側の部分であって該小便器の排水トラップの水貯溜部より下流側で奥側の排水路に洗浄水の供給口を設けて該供給口に該洗浄水の供給管を接続し、該排水路に対して該小便器の鉢面及び排水トラップの水貯溜部を経由しないで該供給口から直接に該洗浄水を供給し、該排水路を洗浄するようになしたことを特徴とする。
【００１７】
請求項２のものは、請求項１において、前記洗浄水が殺菌剤を含有していることを特徴とする。
【００１８】
請求項３のものは、請求項２において、前記殺菌剤としてオゾンを含有していることを特徴とする。
【００１９】
請求項４のものは、請求項１〜３の何れかにおいて、前記供給口が前記洗浄水を噴射する噴射ノズルとして構成してあることを特徴とする。
【００２０】
請求項５のものは、請求項１〜４の何れかにおいて、前記供給管が、前記鉢面に鉢面洗浄用の洗浄水を供給して該鉢面を洗浄する鉢面洗浄装置から分岐して延び出し、該鉢面及び前記排水トラップの水貯溜部をバイパスして前記供給口に繋がるバイパス管を成していることを特徴とする。
【００２１】
請求項６のものは、請求項２において、前記供給管上には給水バルブと、該供給管内の水流により前記殺菌剤の供給源から該殺菌剤を吸引して前記洗浄水中に含有させる吸引機とを設けたことを特徴とする。
【発明の作用・効果】
【００２２】
以上のように本発明は、小便器における排水トラップの水貯溜部（以下単に排水トラップとする）より下流側で奥側の排水路に洗浄水の供給口を設けてそこに供給管を接続し、小便器の鉢面及び排水トラップを経由しないでその供給口から排水路に対し洗浄水を供給し、直接にその排水路を洗浄するようになしたもので、本発明によれば、排水トラップの奥側の排水路や排水フランジ或いは排水配管の先端部への尿石の付着及びその成長を良好に防止し得て、尿石が大きな塊になることにより排水経路等が閉塞される問題を解決することができる。
【００２３】
本発明においては、その洗浄水に殺菌剤を含有させておくことができる（請求項２）。
上記のように尿石の生成やその成長は細菌の作用によって行われる。
従ってその洗浄水に殺菌剤を含有させておくことで、細菌の作用による尿石の発生や成長を良好に阻止することが可能となる。
【００２４】
この場合においてその殺菌剤としてオゾンを洗浄水に含有させておくことができる（請求項３）。
このようにすれば、オゾンの殺菌作用に基づいて細菌による尿石の付着・生成、更にはその成長を良好に阻止することが可能となる。
【００２５】
殺菌剤としてこのようなオゾンを含有させた場合以下のような利点も得られる。
即ち、鉢面を洗浄する洗浄水中にオゾンを含有させておいて鉢面及びその下流側の排水トラップや排水路を殺菌するようにした場合、洗浄水中に溶解できないオゾンが洗浄水から抜け出てトイレ空間に不快なオゾン臭を発生させてしまうため、洗浄水中に多くのオゾンを含有させることができない。この場合には必然的に殺菌能力が低下してしまい、殺菌を良好に行うことができなくなる。
【００２６】
これに対して本発明では排水トラップ、即ち封水により臭気等の逆流が防止された箇所よりも下流側の排水路に対してオゾンを殺菌剤として含有する洗浄水を供給することから、洗浄水中から抜け出たオゾンがトイレ空間に放出されるといったことがなく、従ってオゾン濃度を高くすること、即ち多量のオゾンを洗浄水中に含有させることができ、これにより殺菌能力を高くし得て排水路、更にはその下流側の殺菌を効率高く行うことが可能となる。
【００２７】
本発明においては、上記供給口を洗浄水を噴射する噴射ノズルとして構成しておくことができる（請求項４）。
このようにしておけば、洗浄水を勢い良く排水路に噴射して洗浄をより効率高く行うことが可能となる。
ここで噴射ノズルは洗浄水をストレート状に若しくはシャワー状に又は他の形態の噴射流として噴射するものとなしておくことができる。
【００２８】
次に請求項５は、上記供給管を鉢面洗浄装置から分岐して延び出し、鉢面及び排水トラップをバイパスして上記供給口に到るバイパス管として構成したもので、このようにすれば小便器の設置施工と同時的に排水路に対して洗浄水を供給する本発明の小便器洗浄装置を構築することが可能となる。
【００２９】
この場合において、その供給管上に給水バルブを設け、更に殺菌剤の供給源から殺菌剤を吸引し、洗浄水中に含有させる吸引機を設けておくことができる（請求項６）。
また殺菌剤としてオゾンを用い、そのオゾンを発生させるオゾン発生器を給水バルブを開くと同時に作動させ、これにより発生したオゾンを、供給管内の水の流れを利用して吸引機によりオゾン発生器から吸引し、洗浄水中に含有させるようになすことができる。
【発明を実施するための最良の形態】
【００３０】
次に本発明の実施形態を図面に基づいて詳しく説明する。
図１において、１０は小便器で、１２は鉢面、１５は鉢面１２の底部１６に設けられた排水トラップ１４の水貯溜部である。
１８は小便器１０からの排水を流し、外部に排出する排水配管で、２０はその排水配管１８における横引管、２２は接続用のエルボ部、２４はエルボ部２２における水平部である。
【００３１】
小便器１０の上部には、鉢面１２に鉢面１２洗浄用の洗浄水を供給して鉢面１２を洗浄する鉢面洗浄装置２６が配設されている。
この鉢面洗浄装置２６は人体検知用のセンサ２８と、鉢面１２洗浄用の洗浄水の供給・遮断を行う電磁バルブから成る給水バルブ３０と、センサ２８による人体検知の有無に基づいて給水バルブ３０を作動制御するコントローラ３２と、洗浄水を鉢面１２に向けて噴射するスプレッダ３４とを有している。
【００３２】
一方小便器１０の下部には、排水トラップ１４（厳密には排水トラップ１４の水貯溜部１５。以下同じ）より下流側の奥側に排水路３６が形成されており、この排水路３６の末端が排水フランジ３８を介して上記排水配管１８における接続用のエルボ部２２に接続されている。
【００３３】
本実施形態において排水路３６の上部には、排水路３６洗浄用の洗浄水を噴射（供給）する噴射ノズル（供給口）４０が下向きに設けられており、そこに洗浄水の供給管４２の端部が接続されている。
【００３４】
この供給管４２は、上記鉢面洗浄装置２６から分岐して延び出しており、小便器１０における鉢面１２及び排水トラップ１４をバイパスして直接噴射ノズル４０に接続されている。
この供給管４２上には、噴射ノズル４０への排水路３６洗浄用の洗浄水の供給・遮断を行う給水バルブ４４が設けられている。
またその下流側には、供給管４２内の水流によりオゾン発生器４６で発生した殺菌剤としてのオゾンを吸引し、供給管４２内の洗浄水中に含有させるアスピレータ（吸引機）４８が設けられている。
【００３５】
本実施形態において、オゾン発生器４６及び給水バルブ４４はそれぞれコントローラ３２によって作動制御されるようになっている。
即ちコントローラ３２は、鉢面洗浄装置２６におけるコントローラと、排水路３６洗浄用の本実施形態の小便器洗浄装置におけるコントローラとを兼ねている。
【００３６】
尚、本実施形態において供給管４２は可撓性のホースにて構成されている。
また噴射ノズル４０は、洗浄水をストレート状若しくはシャワー状に噴射する噴射ノズル或いは鉢面１２に向けて鉢面１２洗浄用の洗浄水を噴射する上記のスプレッダ３４の如き噴射ノズル、或いは洗浄水をその他種々のパターンで噴射する様々な形態の噴射ノズルとして構成しておくことができる。
【００３７】
本実施形態では、小便器１０の使用者が用足し後に小便器１０の前方から立ち去ると、センサ２８がこれを検知してコントローラ３２により給水バルブ３０が開弁作動させられる。
これによりスプレッダ３４に洗浄水が供給されて、そのスプレッダ３４から鉢面１２に勢い良く洗浄水が噴射され鉢面１２が洗浄される。
その洗浄水は排水トラップ１４を経て排水路３６に流れ込み、続いて排水フランジ３８を経て排水配管１８へと流れ込んで外部へと排出される。
【００３８】
この鉢面洗浄装置２６による鉢面１２の洗浄は、通常小便器１０の使用者が多い昼間に行われる。
一方排水路３６を洗浄する本実施形態の小便器洗浄装置は、鉢面洗浄装置２６とは通常別のタイミング、具体的には細菌が繁殖し易い時間帯である夜間において洗浄動作を行う。
即ちコントローラ３２から洗浄指令が発せられると、オゾン発生器４６が作動開始するとともに給水バルブ４４が開弁作動させられ、供給管４２を通じて洗浄水が噴射ノズル４０へと送られてそこから排水路３６に勢い良く噴射される。
【００３９】
このときオゾン発生器４６で発生したオゾンが供給管４２内の水流により供給管４２側に吸引されて、供給管４２内の洗浄水中に含有させられる。
即ち、殺菌剤としてのオゾンを含有した洗浄水が噴射ノズル４０から排水路３６に勢い良く噴射されて、排水路３６がそのオゾン含有の洗浄水によって洗浄される。
【００４０】
排水路３６に噴射された洗浄水は速やかに下流側の排水フランジ３８を経て排水配管１８に流れ込み外部へと排出される。
そしてその流れの過程で排水フランジ３８の内面、更に排水配管１８の内面がその洗浄水によって洗浄される。
【００４１】
以上のような本実施形態の小便器洗浄装置によれば、排水路３６における尿石の付着・堆積を効果的に防止し、また尿石が付着した場合にも、それが成長して堆積する前の初期において良好にこれを洗浄・除去することができる。
これにより排水路３６や排水フランジ３８或いは排水配管１８の水平部２４（先端部）への尿石の付着及びその成長・堆積を良好に防止し得て、尿石が大きな塊になることにより排水経路が閉塞されてしまう問題を解決することができる。
【００４２】
また上記のように尿石の生成やその成長は細菌の作用によって行われるが、本実施形態では洗浄水に殺菌剤としてのオゾンを含有させているため、そのオゾンの殺菌作用に基づいて細菌による尿石の付着・生成、更にはその成長を良好に防止することができる。
【００４３】
本実施形態ではまた、殺菌剤としてのオゾンを含有した洗浄水を排水トラップ１４、即ち封水により臭気等の逆流が防止された箇所よりも下流側である排水路３６に対して供給するようにしているため、鉢面１２洗浄用の洗浄水中にオゾンを含有させる場合のように洗浄水中に溶解できないオゾンがトイレ空間に放出されてトイレ空間に不快なオゾン臭を発生させてしまうといったことがなく、このためオゾン濃度を高くすること、即ち多量のオゾンを洗浄水中に含有させることができ、これにより殺菌能力を高くし得て排水路３６、更にはその下流側の殺菌を効率高く行うことができる。
【００４４】
本実施形態においてはまた、噴射ノズル４０にて供給口を構成していることから、洗浄水を勢い良く排水路３６に噴射して洗浄をより効率高く行うことができる。
【００４５】
また本実施形態では供給管４２を、鉢面洗浄装置２６から分岐して延び出し、鉢面１２及び排水トラップ１４をバイパスして噴射ノズル４０に到るバイパス管として構成しているため、小便器１０の設置施工と同時的に排水路３６に対する洗浄装置を構築することができる。
【００４６】
以上本発明の実施形態を詳述したがこれはあくまで一例示であり、本発明はその趣旨を逸脱しない範囲において種々変更を加えた形態で構成可能である。
【図面の簡単な説明】
【００４７】
【図１】本発明の一実施形態の小便器洗浄装置を小便器とともに示す図である。
【図２】尿石の付着促進試験を行ったときの尿石の付着・堆積状態を示す図である。
【図３】図２に示す尿石の付着・堆積状態の実際の撮影写真を図化したものを尿石の付着していない状態との比較で示した図である。
【符号の説明】
【００４８】
１０  小便器
１２  鉢面
１４  排水トラップ
１５  水貯溜部
１８  排水配管
２６  鉢面洗浄装置
３６  排水路
４０  噴射ノズル（供給口）
４２  供給管
４４  給水バルブ
４６  オゾン発生器（殺菌剤の供給源）
４８  アスピレータ（吸引機）
【図１】
2005180064.tif 000003
【図２】
2005180064.tif 000004
【図３】
2005180064.tif 000005